(57)【特許請求の範囲】
【請求項１】
記録データに基づいてインクを吐出することによって、被記録媒体に画像を形成するインクジェット記録装置において、
特定色のインクおよび当該特定色とは異なる色のインクをノズルから吐出可能なインク吐出部と、
前記インク中の成分を不溶化または凝集させる成分を含む処理液をノズルから吐出させるに際し、第１の吐出量あるいは前記第１の吐出量よりも少ない第２の吐出量で前記処理液を前記ノズルから吐出可能な処理液吐出部と、
前記特定色のインクで記録される画像のうち、前記特定色とは異なる色のインクで記録される画像との境界部に対して前記処理液を前記第１の吐出量で吐出し、前記境界部以外の部分に対して前記処理液を前記第２の吐出量で吐出するよう、前記処理液吐出部からの処理液の吐出を制御する制御手段と、
を有することを特徴とするインクジェット記録装置。
【請求項２】
前記制御手段は、更に、前記境界部以外の部分よりも前記境界部に対して前記特定色のインクの付与量が少なくなるように、前記インク吐出部からのインクの吐出を制御することを特徴とする請求項１に記載のインクジェット記録装置。
【請求項３】
前記インク吐出部は、前記特定色のインクを吐出するための複数のノズルが配列された吐出部群を複数備え、
前記境界部を記録するに際しては、前記特定色のインク用の複数の吐出部群のうち、前記特定色とは異なる色のインクとの記録時間差が最も長く発生する位置にある前記特定色のインク用の吐出部群を使用し、
前記境界部以外の部分を記録するに際しては前記特定色のインク用の複数の吐出部群を使用することを特徴とする請求項１または２に記載のインクジェット記録装置。
【請求項４】
記録データに基づいてインクを吐出することによって、被記録媒体に画像を形成するインクジェット記録装置において、
特定色のインクおよび当該特定色とは異なる色のインクをノズルから吐出可能なインク吐出部と、
前記インク中の成分を不溶化または凝集させる成分を含む処理液をノズルから吐出させるに際し、第１の吐出量あるいは前記第１の吐出量よりも少ない第２の吐出量で前記処理液を前記ノズルから吐出可能な処理液吐出部と、
前記特定色のインクで記録される画像のうち、エッジ部と、前記特定色とは異なる色のインクで記録される画像との境界部とに対して前記処理液を前記第１の吐出量で吐出し、
前記エッジ部および境界部以外の部分に対して前記処理液を前記第２の吐出量で吐出するよう、前記処理液吐出部からの処理液の吐出を制御する制御手段と、
を有することを特徴とするインクジェット記録装置。
【請求項５】
前記特定色のインクは黒色インクであり、前記特定色とは異なる色のインクは黒色以外のカラーインクであることを特徴とする請求項１ないし４のいずれかに記載のインクジェット記録装置。
【請求項６】
前記処理液は低分子成分と高分子成分のカチオン性物質を含み、前記インクはアニオン性染料を含むことを特徴とする請求項１ないし５のいずれかに記載のインクジェット記録装置。
【請求項７】
前記処理液は低分子成分と高分子成分のカチオン性物質を含み、前記インクはアニオン性の染料が含有されているかまたは少なくともアニオン性化合物と顔料とが含有されていることを特徴とする請求項１ないし５のいずれかに記載のインクジェット記録装置。
【請求項８】
特定色のインクおよび当該特定色とは異なる色のインクをノズルから吐出可能なインク吐出部と、前記インク中の成分を不溶化または凝集させる成分を含む処理液をノズルから吐出させるに際し、第１の吐出量あるいは前記第１の吐出量よりも少ない第２の吐出量で前記処理液を前記ノズルから吐出可能な処理液吐出部とを用いて、被記録媒体に画像を記録するインクジェット記録方法において、
前記特定色のインクで記録される画像のうち、前記特定色とは異なる色のインクで記録される画像との境界部に対して前記第１の吐出量で前記処理液を吐出し、前記境界部以外の部分に対して前記第２の吐出量で前記処理液を吐出することを特徴とするインクジェット記録方法。
【請求項９】
特定色のインクおよび当該特定色とは異なる色のインクをノズルから吐出可能なインク吐出部と、前記インク中の成分を不溶化または凝集させる成分を含む処理液をノズルから吐出させるに際し、第１の吐出量あるいは前記第１の吐出量よりも少ない第２の吐出量で前記処理液を前記ノズルから吐出可能な処理液吐出部とを用いて、被記録媒体に画像を記録するインクジェット記録方法において、
前記特定色のインクで記録される画像のうち、エッジ部と、前記特定色とは異なる色のインクで記録される画像との境界部に対して前記処理液を前記第１の吐出量で吐出し、前記エッジ部および境界部以外の部分に対して前記処理液を前記第２の吐出量で吐出することを特徴とするインクジェット記録方法。
【発明の詳細な説明】
【０００１】
【産業上の利用分野】
本発明は、被記録材上に高品位の画像を得ることができるインクジェット記録方法および記録装置に関し、詳しくは、被記録媒体上に記録インクおよび記録インク中の色材を不溶化または凝集させる画質向上剤を吐出させるインクジェット記録方法および記録装置に関するものである。
【０００２】
本発明は、紙や布、革、不織布、ＯＨＰ用紙等、さらには金属等の被記録媒体を用いる機器すべてに適用可能である。具体的な適用機器としては、プリンタ、複写機、ファクシミリ等の事務機器や工業用生産機器等を挙げることができる。
【０００３】
【従来の技術】
従来、インクジェット記録方法は、低騒音、低ランニングコスト、装置が小型化しやすい、カラー化が容易、等からプリンタや複写機等に利用されている。
【０００４】
しかしながら、インクジェット記録方法を応用したこれらの記録装置により、所謂普通紙と呼ばれる被記録材上に画像を得る場合、画像の耐水性が不十分であったり、また、カラー画像を得る場合には、紙の繊維に沿ってインクが拡がる（フェザリング）現象の生じない高濃度の画像と、色間のにじみ（ブリード）の生じない画像とを両立させることができず、良好な画像堅牢性でかつ良好な品位のカラー画像が得られていなかった。
【０００５】
画像の耐水性を向上させる方法としてインク中に含まれる色材に耐水性を持たせたインクも近年では実用化されてきている。しかしながらその耐水性はまだまだ不十分であるとともに、原理的に乾燥後、水に溶解しにくいインクであるために、記録ヘッドのノズル詰まりが生じやすく、これを防止するために装置構成が複雑になってしまう欠点があった。
【０００６】
また、従来より被記録物の堅牢性を向上させる技術が多数開示されている。特開昭５３−２４４８６号公報には染色物の湿潤堅牢度を増進させるために、染色物を後処理することで染料をレーキ化し固着させる技術が開示されている。
【０００７】
特開昭５４−４３７３３号公報にはインクジェット記録方式を用いて、相互に接触すると常温または加熱時に被膜形成能が増大する２以上の成分を用いて記録する方法が開示されており、被記録媒体上で各成分が接触することで強固に密着した被膜を形成した印刷物を得ている。
【０００８】
特開昭５５−１５０３９６号公報にも水性染料インクをインクジェット記録後に、染料とレーキを形成する耐水化剤を付与する方法が開示されている。
【０００９】
特開昭５８−１２８８６２号公報には記録すべき画像位置をあらかじめ識別し、記録インクと処理インクとを重ねて記録するインクジェット記録方法が開示されており、記録インクに先立って処理インクで描いたり、先に描かれた記録インク上に処理インクを重ねたり、先に描かれた処理インク上に記録インクを重ね、さらに処理インクを重ねて描いたりする方法が開示されている。
【００１０】
しかしながらこれらには、異なった色間の滲み（ブリード現象）やフェザリング等、画像を劣化させる要因を防止し、記録画像を向上させるための処理液の印字モードなどについては開示されていない。
【００１１】
また、同色の記録ヘッドを複数有した記録装置を用いた記録方法による特有の課題や効果についての開示はなされていない。
【００１２】
【発明が解決しようとする課題】
本発明は上記ブリード現象やフェザリング現象などのない良好なカラー画像を得、併せて記録物の耐水性を向上させるための装置を提供することを目的とする。
【００１３】
【課題を解決するための手段】
上記目的を達成するために、本発明によるインクジェット記録装置は、記録データに基づいてインクを吐出することによって、被記録媒体に画像を形成するインクジェット記録装置において、特定色のインクおよび当該特定色とは異なる色のインクをノズルから吐出可能なインク吐出部と、前記インク中の成分を不溶化または凝集させる成分を含む処理液をノズルから吐出させるに際し、第１の吐出量あるいは前記第１の吐出量よりも少ない第２の吐出量で前記処理液を前記ノズルから吐出可能な処理液吐出部と、前記特定色のインクで記録される画像のうち、前記特定色とは異なる色のインクで記録される画像との境界部に対して前記処理液を前記第１の吐出量で吐出し、前記境界部以外の部分に対して前記処理液を前記第２の吐出量で吐出するよう、前記処理液吐出部からの処理液の吐出を制御する制御手段とを有することを特徴とする。
【００１４】
ここで、前記制御手段は、更に、前記境界部以外の部分よりも前記境界部に対して前記特定色のインクの付与量が少なくなるように、前記インク吐出部からのインクの吐出を制御する。
【００１５】
前記インク吐出部は、前記特定色のインクを吐出するための複数のノズルが配列された吐出部群を複数備え、前記境界部を記録するに際しては、前記特定色のインク用の複数の吐出部群のうち、前記特定色とは異なる色のインクとの記録時間差が最も長く発生する位置にある前記特定色のインク用の吐出部群を使用し、前記境界部以外の部分を記録するに際しては前記特定色のインク用の複数の吐出部群を使用するとよい。
【００１６】
また、本発明によるインクジェット記録装置は、記録データに基づいてインクを吐出することによって、被記録媒体に画像を形成するインクジェット記録装置において、特定色のインクおよび当該特定色とは異なる色のインクをノズルから吐出可能なインク吐出部と、前記インク中の成分を不溶化または凝集させる成分を含む処理液をノズルから吐出させるに際し、第１の吐出量あるいは前記第１の吐出量よりも少ない第２の吐出量で前記処理液を前記ノズルから吐出可能な処理液吐出部と、前記特定色のインクで記録される画像のうち、エッジ部と、前記特定色とは異なる色のインクで記録される画像との境界部とに対して前記処理液を前記第１の吐出量で吐出し、前記エッジ部および境界部以外の部分に対して前記処理液を前記第２の吐出量で吐出するよう、前記処理液吐出部からの処理液の吐出を制御する制御手段と、を有することを特徴とする。
【００１７】
前記処理液は低分子成分と高分子成分のカチオン性物質を含み、前記インクはアニオン性染料を含み、あるいは前記処理液は低分子成分と高分子成分のカチオン性物質を含み、前記インクはアニオン性の染料が含有されているかまたは少なくともアニオン性化合物と顔料とが含有されている。
【００１８】
また、前記特定色のインクは黒色インクであり、前記特定色とは異なる色のインクは黒色以外のカラーインクである。
【００１９】
本発明によるインクジェット記録方法は、特定色のインクおよび当該特定色とは異なる色のインクをノズルから吐出可能なインク吐出部と、前記インク中の成分を不溶化または凝集させる成分を含む処理液をノズルから吐出させるに際し、第１の吐出量あるいは前記第１の吐出量よりも少ない第２の吐出量で前記処理液を前記ノズルから吐出可能な処理液吐出部とを用いて、被記録媒体に画像を記録するインクジェット記録方法において、前記特定色のインクで記録される画像のうち、前記特定色とは異なる色のインクで記録される画像との境界部に対して前記第１の吐出量で前記処理液を吐出し、前記境界部以外の部分に対して前記第２の吐出量で前記処理液を吐出することを特徴とする。
【００２０】
さらに、本発明によるインクジェット記録方法は、特定色のインクおよび当該特定色とは異なる色のインクをノズルから吐出可能なインク吐出部と、前記インク中の成分を不溶化または凝集させる成分を含む処理液をノズルから吐出させるに際し、第１の吐出量あるいは前記第１の吐出量よりも少ない第２の吐出量で前記処理液を前記ノズルから吐出可能な処理液吐出部とを用いて、被記録媒体に画像を記録するインクジェット記録方法において、前記特定色のインクで記録される画像のうち、エッジ部と、前記特定色とは異なる色のインクで記録される画像との境界部に対して前記処理液を前記第１の吐出量で吐出し、前記エッジ部および境界部以外の部分に対して前記処理液を前記第２の吐出量で吐出することを特徴とする。
【００２６】
【作用】
本発明のインクジェット記録装置は、インク中の成分を不溶化または凝集させる成分を含む処理液を吐出する記録ヘッドを有する。インクは記録媒体に達した瞬間に処理液と混ざり、不溶化または凝集するので、紙の繊維に沿って広がらず、フェザリングを防止できる。さらに処理液により不溶化、または凝集した色剤は、水に溶けずに記録媒体上に定着するので、異なった色のインクと混じり合うこと無く、ブリードが防止できる。また、耐水性などの画像堅牢性を向上することができる。
【００２７】
さらに本発明では複数の黒インク吐出用の記録ヘッドを有することにより、黒を強調したい場合は複数のヘッドを使用し、黒とそのほかの色の境界部分など記録媒体上のインクの量を少なくしたいときは単一のヘッドを使用するという様に簡単に記録媒体上のインクの量を変えることができる。
【００２８】
また、本発明では前記処理液の吐出量を変えることができる。
【００２９】
さらに本発明では、画像データより各色の境界を検出し、新たに画像データを作成する手段を有する。
【００３０】
さらに本発明では黒の境界部分では処理液を大量に吐出させ、境界部分以外では小量の吐出にすることにより、処理液の消費量を低減させながら効果的にブリードを防止することができる。
【００３１】
さらに本発明では印字モードにより、使用する黒記録ヘッドを選択する。
【００３２】
かかる構成によって、黒とその他の色の境界では黒は一つのヘッドのみを使用して記録媒体上のインクの量を減らしてブリードを防止し、境界以外では複数の黒ヘッドを使うことにより濃度の高い画像を得ることが出来る。さらに異なった色の境界部およびその周辺に多量の処理液を付着させることにより、より良好にブリードを防止することが出来る。また、両方向印字時にもブリードが防止できるので、印字の高速化がはかれる。
【００３３】
処理液を使用しない場合でも、黒の境界部分では単一のヘッドを使用し、境界部分以外では複数の黒記録ヘッドを使用することにより、ブリード防止と黒の濃度向上が両立できる。
【００３４】
【実施例】
以下に、図面に基づいて本発明の実施例を説明する。
【００３５】
（実施例１）
図１は、本発明を適用可能なインクジェット記録装置の斜視図を示す。記録装置１００の給紙位置に挿入された記録媒体１０６は、送りローラ１０９によって記録ヘッドユニット１０３の記録可能領域へ搬送される。記録可能領域における記録媒体の下部には、プラテン１０８が設けられる。キャリッジ１０１は、ガイド軸１０４とガイド軸１０５の２つのガイド軸によって定められた方向に移動可能な構成となっており、記録領域を往復走査する。キャリッジ１０１には、複数の色インクと処理液を吐出する記録ヘッド群と、それぞれの記録ヘッドにインクや処理液を供給するインクタンクを含む記録ヘッドユニット１０３が搭載されている。この例のインクジェット記録装置に設けられる複数の色のインクは、ブラック（Ｂｋ）、シアン（Ｃ）、マゼンタ（Ｍ）、イエロー（Ｙ）の４色である。
【００３６】
キャリッジが移動可能な領域の左端には、下部に回復系ユニット１１０があり、非記録時に記録ヘッドの吐出口部をキャップしたりする。この左端を記録ヘッドのホームポジションと呼ぶ。
【００３７】
１０７はスイッチ部と表示素子部であり、スイッチ部は記録装置の電源のオン／オフや各種記録モードの設定時等に使用され、表示素子部は記録装置の状態を表示する役割をする。
【００３８】
図２は、記録ヘッドユニット１０３の斜視図である。この例は、ブラック（Ｂｋ）、シアン（Ｃ）、マゼンタ（Ｍ）、イエロー（Ｙ）の各色インクと、処理液（Ｓ）のタンクが全て独立に交換可能な構成の場合である。
【００３９】
キャリッジ１０１にはＢｋ，Ｃ，Ｍ，Ｙと処理液を吐出する記録ヘッド群１０２と、Ｂｋ用タンク２０Ｋ１，２０Ｋ２、Ｃ用タンク２０Ｃ、Ｍ用タンク２０Ｍ、Ｙ用タンク２０Ｙ、及び、処理液のタンク２１が搭載される。各タンクは記録ヘッドとの接続部を介して記録ヘッド群と接続し、吐出口にインクや処理液を供給する。
【００４０】
この例以外でも、例えば、処理液と二つのＢｋのタンクが一体構造であっても良く、また、ＣとＭとＹのタンクが一体構造であっても良い。
【００４１】
図３は記録ヘッド群の前面（被記録材に対向する面）の拡大図を示したものである。記録ヘッド群は黒インク（Ｂｋ１，Ｂｋ２）を吐出させるヘッド３０Ｋ１と３０Ｋ２、処理液（Ｓ）を吐出させるためのヘッド３１、それぞれシアン（Ｃ）、マゼンタ（Ｍ）、イエロー（Ｙ）のインクを吐出させるためのヘッド３０Ｃ，３０Ｍ，３０Ｙとから構成されており、各ヘッドはフレームに保持されている。処理液を吐出させるためのヘッドは記録ヘッドの主走査方向に対し二つの黒記録ヘッド３０Ｋ１と３０Ｋ２の間に配置されている。記録ヘッド３０Ｋ１，３０Ｋ２，３０Ｃ，３０Ｍ，３０Ｙは同一のものを使用し、吐出量は変えられなくても良い。処理液のヘッド３１は吐出量が大と小の二段階に変えることができる。
【００４２】
各ヘッドはそれぞれ１６０個のノズルから構成される。Ｂｋ，Ｃ，Ｍ，Ｙのノズルからは単位画素当たり約４０ｎｇのインクが吐出される。処理液のヘッドは各ノズル内に二つの発熱抵抗素子を有し、その組み合わせにより吐出量が変えられる。処理液の記録ヘッドの吐出量は、小発熱体を使用したときには単位画素当たり１５ｎｇ、大発熱体を使用したときには２５ｎｇである。
【００４３】
図４は、本発明を適用可能なインクジェット記録装置のブロック図である。ホストコンピュータ４００から、記録すべき文字や画像のデータ（以下画像データという）が記録装置の受信バッファー４０１に入力される。また、正しくデータが転送されているか否かを確認するデータ、記録装置の動作状態を知らせるデータ等が記録装置からホストコンピュータに帰される。受信バッファー４０１のデータはＣＰＵを有する制御部４０２の管理のもとで、メモリ部４０３に転送されＲＡＭ（ランダムアクセスメモリ）に一次的に記憶される。メカコントロール部４０４は、制御部４０２からの指令によりキャリッジモータ、ラインフィードモータ等のメカ部４０５を駆動する。センサ／ＳＷコントロール部４０６は、各種センサおよびＳＷ（スイッチ）からなるセンサ／ＳＷ部４０７からの信号を制御部４０２に送る。表示素子コントロール部４０８は、制御部４０２からの指令により表示パネル群のＬＥＤや液晶表示素子等からなる表示素子部４０９を制御する。記録ヘッドコントロール部４１０は制御部４０２からの指令により記録ヘッド４１１を制御する。また、記録ヘッド４１１の状態を示す温度情報等をセンスし制御部４０２に伝える。画像処理部４０２Ａは受信バッファー４０１に入力された画像データの処理を行い、各色間の境界および黒色のエッジを検知し、また記録のためのデータを生成する。
【００４４】
以下にこのヘッドユニットを用いての印字方法について述べる。本実施例および以下の実施例では、黒とイエローおよびマゼンタの３色の境界を例として説明する。
【００４５】
図５に印字の一例を示す。図５（ａ）は境界部の模式図で、左側が黒、右側がイエローとマゼンタの画像で、三色の境界部を拡大してある。図５（ｂ）に示すように、黒部分は濃度を上げるため、二つのヘッドで単位画素当たりに合計８０ｎｇのインクを印字している。しかし、境界部分では黒とそれ以外の色の混じり合いを防ぐために、記録インクは少なくする必要がある。そのため、境界部分では一つの黒記録ヘッドのみを使い、単位画素当たりに４０ｎｇのインクを印字する。黒のエッジ部も図５（ｃ）に示すように、一つの黒記録ヘッドのみを使用する。
【００４６】
処理液は、記録物に耐水性を持たせるために、画像全体に付与する。さらに、黒とそれ以外の色間の境界部分では、ブリードを防止するために、効果的に色剤を不溶化または凝集させて定着させる必要がある。処理液を吐出させるためのヘッドは吐出量が変えられるので、図５（ｄ）に示すように、黒とその他の色間の境界部分は大吐出量（２５ｎｇ）、それ以外は小吐出量（１５ｎｇ）で記録する。黒の境界部分にだけ重点的に処理液を付与することにより、全体の処理液の消費量を押さえ、かつ、効果的に黒とその他の色間のブリードを防ぐことが出来る。
【００４７】
さらに、図５（ｅ）に示すように、他の色が隣接していない黒のエッジにも処理液を大吐出量で付与する。黒インクによる記録画像よりも外側に処理液が付与されるため、フェザリングが防止できる。
【００４８】
エッジ部分では黒記録にはＢｋ１ヘッド３０Ｋ１のみを使用する。これは往復記録時にも効果的にブリードを防ぐためである。往時には黒→処理液→カラー（Ｃ、またはＭ、またはＹまたはその二次色）の順に記録され、復時にはカラー（Ｃ、またはＭ、またはＹまたはその二次色）→処理液→黒の順に記録される。Ｂｋ２ヘッド３０Ｋ２を使うと、往時には処理液→黒→カラーの順で記録されるので、色は混じり合わないが、復時にはカラー→黒→処理液の順になってしまい、カラーと黒で混じりあった後に処理液を付与することになり、効果がなくなる。
【００４９】
ここで、図５では「エッジ部分」とは黒のエッジとその外側１ドットずつとした。これはインクの種類、記録媒体などに応じて増やしても良い。少なくとも処理液は黒の部分とその外側に１ドットずつ以上は必要である。また、境界部分以外では処理液は適度に間引いても良い。
【００５０】
図６に記録のためのデータ処理の流れ図を示す。まず、記録装置の受信バッファに画像データを読み込む（Ｓ１１）。次に、画像データをＢｋ，Ｃ，Ｍ，Ｙの各色用のデータＤＢｋ，ＤＣ，ＤＭ，ＤＹに展開する（Ｓ１２）。次に黒が他の色と隣接しているかを判定する（Ｓ１３）。
【００５１】
次にＳ１４において、処理液ＳのデータをＢｋ，Ｃ，Ｍ，Ｙのデータから作成する。まず、ＤＢｋ，ＤＣ，ＤＭ，ＤＹの論理ＯＲを取り、処理液データＤＳ１を作成する。次にＤＢｋのエッジを検出し、その内側と外側の部分を処理液データＤＳ２とする。ＤＳ１からＤＳ２を引いたデータをＤＳ３とする。ＤＳ２データを大発熱体を使うことにより２５ｎｇの吐出量で、ＤＳ３データを小発熱体を使うことにより１５ｎｇの吐出量で記録するためのデータとする。エッジデータは公知のエッジ検出アルゴリズムにより得られる。
【００５２】
Ｂｋヘッドは領域により、Ｂｋ１，Ｂｋ２を使い分ける。Ｓ１５において、ＤＢｋデータからエッジデータを除いた領域データをＢｋ２のヘッド３０Ｋ２で記録するデータＤＢｋ２とする。Ｂｋ１ヘッド３０Ｋ１は読み込んだＤＢｋデータをそのまま記録データとし、Ｃ，Ｍ，Ｙは読み込んだＤＣ，ＤＭ，ＤＹデータを記録データとする（Ｓ１６）。
【００５３】
これらのデータに基づいて、キャリッジの移動により、Ｂｋ１，Ｓ，Ｂｋ２，Ｃ，Ｍ，Ｙの各ヘッド３０Ｋ１，３１，３０Ｋ２，３０Ｃ，３０Ｍ，３０Ｙからインクを記録媒体上に吐出させて記録する（Ｓ１７）。
【００５４】
ここで、使用したインクと処理液の処方は以下の様である。
【００５５】
全てのインクが染料インクの場合
0003610109.tif 000002
0003610109.tif 000003
なお、本発明を実施するにあたって、使用するインクは特に染料インクに限るものではなく、顔料を分散させた顔料インクを用いることもできるし、使用する処理液はその顔料を凝集させるものを用いることができる。前記した処理液と混合して凝集を引き起こす顔料インクの一例として以下のものを挙げることができる。すなわち、下記に述べるようにして、それぞれ顔料とアニオン性化合物とを含むイエロー，マゼンタ，シアン，ブラックの各色インク、Ｙ２，Ｍ２，Ｃ２およびＫ２を得ることができる。
【００５６】
ブラックインクＫ２
アニオン系高分子Ｐ−１（スチレン−メタクリル酸−エチルアクリレート、酸価４００、重量平均分子量６，０００、固形分２０％の水溶液、中和剤：水酸化カリウム）を分散剤として用い、以下に示す材料をバッチ式縦型サンドミル（アイメックス製）に仕込み、１ｍｍ径のガラスビーズをメディアとして充填し、水冷しつつ３時間分散処理を行った。分散後の粘度は９ｃｐｓ、ｐＨは１０．０であった。この分散液を遠心分離機にかけ粗大粒子を除去し、重量平均粒径１００ｎｍのカーボンブラック分散体を作製した。
【００５７】
（カーボンブラック分散体の組成）
・Ｐ−１水溶液（固形分２０％）                                ４０部
・カーボンブラック  Ｍｏｇｕｌ  Ｌ  （キャブラック製）        ２４部
・グリセリン                                                  １５部
・エチレングリコールモノブチルエーテル                      ０．５部
・イソプロピルアルコール                                        ３部
・水                                                        １３５部
次に、上記で得られた分散体を充分に拡散して顔料が含有されたインクジェット用のブラックインクＫ２を得た。最終調製物の固形分は、約１０％であった。
【００５８】
イエローインクＹ２
アニオン系高分子Ｐ−２（スチレン−アクリル酸−メチルメタアクリレート、酸価２８０、重量平均分子量１１，０００、固形分２０％の水溶液、中和剤：ジエタノールアミン）を分散剤として用い、以下に示す材料を用いて、ブラックインクＫ２の作製の場合と同様に分散処理を行い、重量平均粒径１０３ｎｍのイエロー色分散体を作製した。
【００５９】
（イエロー分散体の組成）
・Ｐ−２水溶液（固形分２０％）                                ３５部
・Ｃ．Ｉ．ピグメントイエロー１８０                            ２４部
（ノバパームイエロー  ＰＨ−Ｇ、ヘキスト製）
・トリエチレングリコール                                      １０部
・ジエチレングリコール                                        １０部
・エチレングリコールモノブチルエーテル                      １．０部
・イソプロピルアルコール                                    ０．５部
・水                                                        １３５部
上記で得られたイエロー分散体を充分に拡散して、顔料が含有されたインクジェット用のイエローインクＹ２を得た。最終調製物の固形分は、約１０％であった。
【００６０】
シアンインクＣ２
ブラックインクＫ２の作製の際に使用したアニオン系高分子Ｐ−１を分散剤として用い、以下に示す材料を用いて、前記したカーボンブラック分散体の場合と同様の分散処理を行い、重量平均粒径１２０ｎｍのシアン色分散体を作製した。
【００６１】
（シアン色分散体の組成）
・Ｐ−１水溶液（固形分２０％）                                ３０部
・Ｃ．Ｉ．ビグメントブルー１５：３                            ２４部
（ファストゲンブル−ＦＧＦ、大日本インキ化学）
・グリセリン                                                  １５部
・ジエチレングリコールモノブチルエーテル                    ０．５部
・イソプロピルアルコール                                        ３部
・水                                                        １３５部
上記で得られたシアン色分散体を充分に攪拌して、顔料が含有されたインクジェット用のシアンインクＣ２を得た。最終調製物の固形分は、約９．６％であった。
【００６２】
マゼンタインクＭ２
ブラックインクＫ２の作製の際に使用したアニオン系高分子Ｐ−１を分散剤として用い、以下に示す材料を用いて、前記したカーボンブラック分散体の場合と同様の分散処理を行い、重量平均粒径１１５ｎｍのマゼンタ色分散体を作製した。
【００６３】
（マゼンタ色分散体の組成）
・Ｐ−１水溶液（固形分２０％）                                ２０部
・Ｃ．Ｉ．ピグメントレッド１２２（大日本インキ化学）          ２４部
・グリセリン                                                  １５部
・イソプロピルアルコール                                        ３部
・水                                                        １３５部
上記で得られたマゼンタ色分散体を充分に拡散して、顔料が含有されたインクジェット用のマゼンタインクＭ２を得た。最終調製物の固形分は、約９．２％であった。
【００６４】
以上示したそれぞれ処理液（液体組成物）とインクとの混合において、本発明では、上述した処理液とインクが被プリント材上あるいは被プリント材に浸透した位置で混合する結果、反応の第１段階として処理液中に含まれているカチオン性物質の内、低分子量の成分またはカチオン性オリゴマーとインクに使用しているアニオン性基を有する水溶性染料または顔料インクに使用しているアニオン性化合物とがイオン的相互作用により会合を起こし、瞬間的に溶液相から分離を起こす。この結果顔料インクにおいては分散破壊が起こり、顔料の凝集体ができる。
【００６５】
次に、反応の第２段階として、上述した染料と低分子カチオン性物質またはカチオン性オリゴマーとの会合体または顔料の凝集体が処理液中に含まれる高分子成分により吸着されるために、会合で生じた染料の凝集体または顔料の凝集体のサイズがさらに大きくなり、被プリント材の繊維間の隙間に入り込みにくくなり、その結果として固液分離した液体部分のみが記録紙中にしみこむことにより、プリント品位と定着性との両立が達成される。同時に上述したようなメカニズムにより生成したカチオン物質の低分子成分またはカチオン性オリゴマーとアニオン性染料とカチオン性物質とで形成される凝集体または顔料の凝集体は粘性が大きくなり、液媒体の動きとともに移動することがないので、フルカラーの画像形成時のように隣接したインクドットが異色のインクで形成されていたとしても互いに混じり合うようなことはなく、ブリーデイングも起こらない。また、上記凝集体は本質的に水不溶性であり形成された画像の耐水性は完全なものとなる。また、ポリマーの遮蔽効果により形成された画像の耐光堅牢性も向上するという効果も有する。
【００６６】
本実施例では黒記録用に二個の黒記録ヘッドを有した。さらに黒記録ヘッドを３個、４個と増やしても良い。その場合も黒の境界部分では単一の黒記録ヘッドを用いてブリードを防止し、境界部分以外では複数の黒記録ヘッドを用いて濃度を上げることができる。
【００６７】
（実施例２）
第１の実施例では黒のエッジ部分全部を単一の黒記録ヘッドを用いた印字とした。本実施例では黒とその他の色の境界のみ単一のヘッドで記録し、他の色と接していない黒のエッジ部分は複数のヘッドで印字することにより、黒のエッジ部の濃度を下げずに、黒と他の色との間のブリードを少なくする。
【００６８】
図７に本実施例に関わる、記録のためのデータ処理の流れ図を示す。Ｂｋ１，Ｙ，Ｍ，Ｃの記録データ、及び処理液の記録データは実施例１と同様に生成する（Ｓ２１〜Ｓ２４）。Ｂｋ２の記録データは黒のデータから他の色と接している境界部分だけ除いたデータとする（Ｓ２５）。このデータの作成は、公知の黒エッジ検出アルゴリズムで得られる黒エッジ部データとＹ，Ｍ，Ｃデータの論理和データとの論理積データを、もともとの黒記録データから除くことにより得られる。以後の処理は実施例１と同様である。
【００６９】
図８に本実施例での記録の一例を示す。図８（ａ）は境界部の模式図である。本実施例では、図８（ｂ）に示すように、黒とその他の色の境界のみＢｋ１ヘッドを使って記録し、それ以外の領域は、図８（ｃ）に示すように、エッジ部を含めてＢｋ１とＢｋ２の２ヘッドを使用する。
【００７０】
処理液はこの例では黒のエッジ部分とその外周に付与するが、黒とその他の色の境界部分のみでも良い。黒とその他の色の境界部分のみに付与すると、ブリードが防止でき、処理液の使用量の低減が図れる。
【００７１】
（実施例３）
図９は本発明の第３の実施例に関わる、記録のためのデータ処理の流れ図である。実施例１と同様に、まず記録装置の受信バッファに画像データを読み込み（Ｓ３１）、Ｂｋ，Ｃ，Ｍ，Ｙの各色データＤＢｋ，ＤＣ，ＤＭ，ＤＹに展開する（Ｓ３２）。次に各処理の境界を判定する（Ｓ３３）。
【００７２】
次にＳ３４において、処理液ＳのデータをＢｋ，Ｃ，Ｍ，Ｙのデータから作成する。まず、ＤＢｋ，ＤＣ，ＤＭ，ＤＹの論理ＯＲを取り、処理液データＤＳ１を作成する。次にＤＢｋ，ＤＣ，ＤＭ，ＤＹの各データのエッジを検出し、その論理ＯＲを処理液データＤＳ２とする。ＤＳ１からＤＳ２を引いたデータをＤＳ３とする。ＤＳ２データを大発熱体を使うことにより２５ｎｇの吐出量で、ＤＳ３データを小発熱体を使うことにより１５ｎｇの吐出量で記録するためのデータとする。
【００７３】
Ｂｋ１，Ｂｋ２，Ｃ，Ｍ，Ｙの為のデータは第１の実施例と同様に作成する（Ｓ３５，Ｓ３６）。
【００７４】
これらのデータに基づいて、キャリッジの移動により、Ｂｋ１，Ｓ，Ｂｋ２，Ｃ，Ｍ，Ｙの各ヘッドからインクを記録媒体上に吐出させて記録する（Ｓ３７）。
【００７５】
図１０に本実施例での印字の一例を示す。図１０（ａ）は３色の境界部の模式図である。図１０（ｂ）に示すように、黒はイエロー，マゼンタとの境界部では単一の記録ヘッドを使うことにより吐出量が少なく、それ以外では二つのヘッドを使って濃度を上げている。処理液は図１０（ｃ）に示すように、各色の境界部分では大吐出量で記録し、それ以外では小吐出量で記録している。
【００７６】
第１の実施例では黒色のエッジ部分にたくさんの処理液を付与した。第３の実施例では黒以外の色同士間にも重点的に処理液を付与する。これにより、黒以外の色同士のブリードも防止し、より品位の高い画像が得られる。
【００７７】
ここで黒色はエッジ部分だけ単一のヘッドを使用したが、黒とその他の色の境界のみ単一の記録ヘッドを使用しても良い。
【００７８】
（実施例４）
図１１は単色のプリンタにおける記録ヘッドユニット１０３の斜視図であり、図１２は記録ヘッドの前面の拡大図を示したものである。記録ヘッド群１１１は二つの黒記録用ヘッド９２Ｋ１，９２Ｋ２（Ｂｋ１，Ｂｋ２）と、処理液を吐出させるためのヘッド９３が一体になって構成されている。キャリッジ１０１には黒インクと処理液を吐出する記録ヘッド群１１１と、Ｂｋ用タンク９０Ｋ１，９０Ｋ２と、処理液用タンク９１が搭載される。
【００７９】
黒記録には処理液よりも下流側、すなわち処理液よりも遅い時刻に記録する側の黒記録ヘッドを用いる。往記録にはＢｋ２ヘッド９２Ｋ２、復記録にはＢｋ１ヘッド９２Ｋ１を使用する。これにより、往復記録時でも常に黒インクは記録媒体上で処理液の記録後に印字される。
【００８０】
処理液印字データは黒画像データの境界検出処理によりリアルタイムに生成される。処理液は、黒記録画像のエッジ及びその外周部は大吐出量で印字し、それ以外の黒部には小吐出量で印字する。小吐出量で印字する部分の処理液データは適度に間引いても良い。
【００８１】
これにより、フェザリングが防止でき、さらに往復記録により高速化が達成できる。
【００８２】
（実施例５）
以上の実施例では処理液を使う印字方法であったが、処理液を使わないモードも備えても良い。この場合も黒とそれ以外の色とのブリードを防止するために黒の境界処理を行う。
【００８３】
まず、黒とその他の色との境界を検知する。黒の境界では黒記録にはＢｋ１ヘッドのみ使用して境界部のインクの量を減らす。Ｂｋ１ヘッドを使用することにより、黒を印字してからそれ以外の色を印字するまでの時間、または黒以外の色を印字してから黒を印字するまでの時間を長くとることができ、先に印字された色のインクが記録媒体に浸透してから次の色を印字することができる。
【００８４】
さらに、黒とそれ以外の色の境界部分以外ではＢｋ１とＢｋ２の二つのヘッドを使用して黒の濃度を高くする。
【００８５】
黒のヘッドの数は２個に限定されるものではなく、３個、４個と増やしても良い。その場合でも、境界部分は黒以外のインクを吐出させるヘッド群から最も離れた黒記録ヘッドを使用し、黒のエッジ部分以外では複数の黒記録ヘッドを使用することにより、同様の効果が得られる。
【００８６】
（その他）
なお、本発明は、特にインクジェット記録方式の中でも、インク吐出を行わせるために利用されるエネルギとして熱エネルギを発生する手段（例えば電気熱変換体やレーザ光等）を備え、前記熱エネルギによりインクの状態変化を生起させる方式の記録ヘッド、記録装置において優れた効果をもたらすものである。かかる方式によれば記録の高密度化，高精細化が達成できるからである。
【００８７】
その代表的な構成や原理については、例えば、米国特許第４７２３１２９号明細書，同第４７４０７９６号明細書に開示されている基本的な原理を用いて行うものが好ましい。この方式は所謂オンデマンド型，コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギを発生せしめ、記録ヘッドの熱作用面に膜沸騰を生じさせて、結果的にこの駆動信号に一対一で対応した液体（インク）内の気泡を形成できるので有効である。この気泡の成長，収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書，同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００８８】
記録ヘッドの構成としては、上述の各明細書に開示されているような吐出口，液路，電気熱変換体の組合せ構成（直線状液流路または直角液流路）の他に熱作用部が屈曲する領域に配置されている構成を開示する米国特許第４５５８３３３号明細書，米国特許第４４５９６００号明細書を用いた構成も本発明に含まれるものである。加えて、複数の電気熱変換体に対して、共通するスリットを電気熱変換体の吐出部とする構成を開示する特開昭５９−１２３６７０号公報や熱エネルギの圧力波を吸収する開孔を吐出部に対応させる構成を開示する特開昭５９−１３８４６１号公報に基いた構成としても本発明の効果は有効である。すなわち、記録ヘッドの形態がどのようなものであっても、本発明によれば記録を確実に効率よく行うことができるようになるからである。
【００８９】
さらに、記録装置が記録できる記録媒体の最大幅に対応した長さを有するフルラインタイプの記録ヘッドに対しても本発明は有効に適用できる。そのような記録ヘッドとしては、複数記録ヘッドの組合せによってその長さを満たす構成や、一体的に形成された１個の記録ヘッドとしての構成のいずれでもよい。
【００９０】
加えて、上例のようなシリアルタイプのものでも、装置本体に固定された記録ヘッド、あるいは装置本体に装着されることで装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いた場合にも本発明は有効である。
【００９１】
また、本発明に記録装置の構成として設けられる、記録ヘッドに対しての回復手段、予備的な補助手段等を付加することは本発明の効果を一層安定できるので、好ましいものである。これらを具体的に挙げれば、記録ヘッドに対してのキャッピング手段、クリーニング手段、加圧或は吸引手段、電気熱変換体或はこれとは別の加熱素子或はこれらの組み合わせによる予備加熱手段、記録とは別の吐出を行なう予備吐出モードを行なうことも安定した記録を行なうために有効である。
【００９２】
また、搭載される記録ヘッドの種類ないし個数についても、例えば単色のインクに対応して１個のみが設けられたものの他、記録色や濃度を異にする複数のインクに対応して複数個数設けられるものであってもよい。すなわち、例えば記録装置の記録モードとしては黒色等の主流色のみの記録モードだけではなく、記録ヘッドを一体的に構成するか複数個の組み合わせによるかいずれでもよいが、異なる色の複色カラー、または混色によるフルカラーの少なくとも一つを備えた装置にも本発明は極めて有効である。
【００９３】
さらに加えて、以上説明した本発明実施例においては、インクを液体として説明しているが、室温やそれ以下で固化するインクであって、室温で軟化もしくは液化するもの、あるいはインクジェット方式ではインク自体を３０℃以上７０℃以下の範囲内で温度調整を行ってインクの粘性を安定吐出範囲にあるように温度制御するものが一般的であるから、使用記録信号付与時にインクが液状をなすものであればよい。加えて、積極的に熱エネルギによる昇温をインクの固形状態から液体状態への状態変化のエネルギとして使用せしめることで防止するか、またはインクの蒸発防止を目的として放置状態で固化するインクを用いるかして、いずれにしても熱エネルギの記録信号に応じた付与によってインクが液化し、液状インクが吐出されるものや、記録媒体に到達する時点ではすでに固化し始めるもの等のような、熱エネルギによって初めて液化する性質のインクを使用する場合も本発明は適用可能である。このような場合のインクは、特開昭５４−５６８４７号公報あるいは特開昭６０−７１２６０号公報に記載されるような、多孔質シート凹部または貫通孔に液状又は固形物として保持された状態で、電気熱変換体に対して対向するような形態としてもよい。本発明においては、上述した各インクに対して最も有効なものは、上述した膜沸騰方式を実行するものである。
【００９４】
さらに加えて、本発明の液体噴射記録ヘッドを使用する記録機構を備えた記録装置の形態としては、コンピュータ等の情報処理機器の画像出力端末として用いられるものの他、リーダ等と組合せた複写装置、さらには送受信機能を有するファクシミリ装置の形態を採るもの等であってもよい。
【００９５】
図１３は本発明の記録装置をワードプロセッサ、パーソナルコンピュータ、ファクシミリ装置、複写装置としての機能を有する情報処理装置に適用した場合の概略構成を示すブロック図である。
【００９６】
図中、１８０１は装置全体の制御を行なう制御部で、マイクロプロセッサ等のＣＰＵや各種Ｉ／Ｏポートを備え、各部に制御信号やデータ信号等を出力したり、各部よりの制御信号やデータ信号を入力して制御を行なっている。１８０２はディスプレイ部で、この表示画面には各種メニューや文書情報およびイメージリーダ１８０７で読み取ったイメージデータ等が表示される。１８０３はディスプレイ部１８０２上に設けられた透明な感圧式のタッチパネルで、指等によりその表面を押圧することにより、ディスプレイ部１８０２上での項目入力や座標位置入力等を行なうことができる。
【００９７】
１８０４はＦＭ（Ｆｒｅｑｕｅｎｃｙ  Ｍｏｄｕｌａｔｉｏｎ）音源部で、音楽エディタ等で作成された音楽情報をメモリ部１８１０や外部記憶装置１８１２にデジタルデータとして記憶しておき、それらメモリ等から読み出してＦＭ変調を行なうものである。ＦＭ音源部１８０４からの電気信号はスピーカ部１８０５により可聴音に変換される。プリンタ部１８０６はワードプロセッサ、パーソナルコンピュータ、ファクシミリ装置、複写装置の出力端末として、本発明記録装置が適用されたものである。
【００９８】
１８０７は原稿データを光電的に読取って入力するイメージリーダ部で、原稿の搬送経路途中に設けられており、ファクシミリ原稿や複写原稿の他各種原稿の読取りを行なう。１８０８はイメージリーダ部１８０７で読取った原稿データのファクシミリ送信や、送られてきたファクシミリ信号を受信して復号するファクシミリ（ＦＡＸ）の送受信部であり、外部とのインターフェース機能を有する。１８０９は通常の電話機能や留守番電話機能等の各種電話機能を有する電話部である。
【００９９】
１８１０はシステムプログラムやマネージャプログラムおよびその他のアプリケーションプログラム等や文字フォントおよび辞書等を記憶するＲＯＭや、外部記憶装置１８１２からロードされたアプリケーションプログラムや文書情報さらにはビデオＲＡＭ等を含むメモリ部である。
【０１００】
１８１１は文書情報や各種コマンド等を入力するキーボード部である。
【０１０１】
フロッピィディスクやハードディスク等を記憶媒体とする外部記憶装置で、この外部記憶装置１８１２には文書情報や音楽或は音声情報、ユーザのアプリケーションプログラム等が格納される。
【０１０２】
図１４は図１３に示す情報処理装置の模式的外観図である。
【０１０３】
図中、１９０１は液晶等を利用したフラットパネルディスプレイで、各種メニューや図形情報および文書情報等を表示する。このディスプレイ１９０１上にはタッチパネル１８０３の表面を指等で押圧することにより座標入力や項目指定入力を行なうことができる。１９０２は装置が電話器として機能するときに使用されるハンドセットである。キーボード１９０３は本体と脱着可能にコードを介して接続されており、各種文書情報や各種データ入力を行なうことができる。また、このキーボード１９０３には各種機能キー１９０４等が設けられている。１９０５は外部記憶装置２１２へのフロッピーディスクの挿入口である。
【０１０４】
１９０６はイメージリーダ部１８０７で読取られる原稿を戴置する用紙戴置部で、読取られた原稿は装置後部より排出される。またファクシミリ受信等においては、インクジェットプリンタ１９０７より記録される。
【０１０５】
なお、上記でディスプレイ部１８０２はＣＲＴでもよいが、強誘電性液晶を利用した液晶ディスプレイ等のフラットパネルが望ましい。小型、薄型化に加え軽量化が図れるからである。
【０１０６】
上記情報処理装置をパーソナルコンピュータやワードプロセッサとして機能する場合、キーボード部２１１から入力された各種情報が制御部１８０１により所定のプログラムに従って処理され、プリンタ部１８０６に画像として出力される。
【０１０７】
ファクシミリ装置の受信機として機能する場合、通信回線を介してＦＡＸ送受信部１８０８から入力したファクシミリ情報が制御部１８０１により所定のプログラムに従って受信処理され、プリンタ部１８０６に受信画像として出力される。
【０１０８】
また、複写装置として機能する場合、イメージリーダ部１８０７によって原稿を読取り、読取られた原稿データが制御部１８０１を介してプリンタ部１８０６に複写画像として出力される。なお、ファクシミリ装置の受信機として機能する場合、イメージリーダ部１８０７によって読取られた原稿データは、制御部１８０１により所定のプログラムに従って送信処理された後、ＦＡＸ送受信部１８０８を介して通信回線に送信される。
【０１０９】
なお、上述した情報処理装置は図１５に示すようにインクジェットプリンタを本体に内蔵した一体型としてもよく、この場合は、よりポータブル性を高めることが可能となる。同図において、図１４と同一機能を有する部分には、対応する符号を付す。
【０１１０】
以上説明した多機能型情報処理装置に本発明の記録装置を適用することによって、高品位の記録画像を高速かつ低騒音で得ることができるため、上記情報処理装置の機能をさらに向上させることが可能となる。
【０１１１】
【発明の効果】
以上説明したように本発明によれば、異なった色間のブリード現象による画像の劣化を防ぎ、黒の濃度を上げる事によって画像品位の向上を図れる。また、色の境界に処理液を多く付与することによってフェザリングも防止できる。さらに、処理液を記録インクに先立って記録媒体上に付着させる事により、耐水性など堅牢性を向上させる事が可能である。
【図面の簡単な説明】
【図１】本発明に適用可能な記録装置の斜視図である。
【図２】本発明の実施例１に関わる記録ヘッドユニットの斜視図である。
【図３】実施例１に関わる記録ヘッドの前面の拡大図である。
【図４】本発明に適用可能な記録装置のブロック図である。
【図５】実施例１におけるインク、処理液の吐出量の一例を示す説明図である。
【図６】実施例１における記録のためのデータ処理の流れ図である。
【図７】実施例２における記録のためのデータ処理の流れ図である。
【図８】実施例２におけるインクの吐出量の一例を示す説明図である。
【図９】実施例３における記録のためのデータ処理の流れ図である。
【図１０】実施例３の印字の一例を示す説明図である。
【図１１】実施例４に関わる記録ヘッドユニットの斜視図である。
【図１２】実施例４に関わる記録ヘッドの前面の拡大図である。
【図１３】本発明の記録装置を情報処理装置に適用した場合の概略構成を示すブロック図である。
【図１４】図１３に示した情報処理装置の模式的外観図である。
【図１５】図１３に示した情報処理装置の模式的外観図である。
【符号の説明】
１００  記録装置
１０１  キャリッジ
１０３  記録ヘッドユニット
２０Ｋ１，２０Ｋ２  黒インク用タンク
２０Ｃ  シアンインク用タンク
２０Ｍ  マゼンタインク用タンク
２０Ｙ  イエローインク用タンク
２１  処理液用タンク
３０Ｋ１，３０Ｋ２  黒インク吐出ヘッド
３０Ｃ  シアンインク吐出ヘッド
３０Ｍ  マゼンタインク吐出ヘッド
３０Ｙ  イエローインク吐出ヘッド
【図１】
0003610109.tif 000004
【図２】
0003610109.tif 000005
【図３】
0003610109.tif 000006
【図４】
0003610109.tif 000007
【図５】
0003610109.tif 000008
【図６】
0003610109.tif 000009
【図７】
0003610109.tif 000010
【図８】
0003610109.tif 000011
【図９】
0003610109.tif 000012
【図１０】
0003610109.tif 000013
【図１１】
0003610109.tif 000014
【図１２】
0003610109.tif 000015
【図１３】
0003610109.tif 000016
【図１４】
0003610109.tif 000017
【図１５】
0003610109.tif 000018